(57)【特許請求の範囲】
【請求項１】
床部（３）と，該床部（３）の前後に連結される前壁部（４）および後壁部（５）とを有してなる箱型荷台において，
前記壁部の下端を構成する水平な骨格部材（４６）と，前記床部（３）との連結構造であって，
前記床部（３）は，縦根太（２６）に垂直に連結される複数の床部材（２７）有し，
前記壁部（４）の前記骨格部材（４６）は，端部にある前記床部材（４０）と一体に連結され，
前記壁部（４）の重心を通過する垂線が，前記端部の床部材（４０）を通過し、
前記端部の床部材（４０）は，細長い上平面（４１）および該上平面の，長手方向にそった両側から下方に伸びる側平面（４２、４３）からなり，
前記両側平面の下端は，前記縦根太に連結され，
前記骨格部材（４６）は，細長い上面（４７）と，該上面の，長手方向にそった一方の縁から下方に伸びる側面（４８）と，前記上面の，長手方向にそった他方の縁から下方に伸びる垂直側面（４６）および該垂直側面の，長手方向にそって水平に伸びる水平底面（５０）と，からなり，
前記骨格部材の前記一方の縁から下方に伸びる側面（４８）の下端は，前記端部の床部材の上平面（４１）に結合し，
前記水平底面（５０）の端部は，前記端部の床部材の側平面（４３）に結合する，
ことを特徴とする連結構造。
【発明の詳細な説明】
【０００１】
【発明の属する技術分野】
本発明は，箱型荷台を構成する前壁部および後壁部と，床部との結合構造に関し，とくに，断面がL字形の屋根が対称的に枢着された箱型荷台の，壁部と床部の連結構造に関する。
【０００２】
【従来の技術】
図１は，枢着された断面がL字型の，いわゆるウイング式屋根2をもつ典型的な箱型荷台1の斜視図を示す。この荷台1は，床部3の前に，前壁部4が垂直に設けられ，床部3の後ろに，後壁部5が垂直に設けられている。前壁部4は，車両の運転席側にあり，全面がパネルで覆われている。後壁部5は，門型のフレームに通常観音扉6が取り付けられている。
【０００３】
前壁部4と後壁部5の上部には，中央ビーム7が渡され，その中央ビーム7にウイング式屋根2が対称的に枢着されている。荷台1の両側には，煽り8が枢着され，ウイング式屋根2とともに，側方開口を開閉することができる。
【０００４】
図２は，前壁部4と床部3との連結を示すための，一部切り欠きされた荷台の部分拡大斜視図を示す。図３は，前壁部4と床部3との連結を示すための，荷台の部分拡大中央縦断面を示す。
【０００５】
図２に示されているように，前壁部4は，下端を構成する水平な骨格部材21の両側に枠材22，22が垂直に設けられ，それらの間に複数の補助枠材24が設けられ（図示されていないが，枠材の上部は上枠材が設けられている），枠材の前後にパネル25が取り付けられている。
【０００６】
床部3は，二本の平行な縦根太26と，これに垂直な複数の床部材27が，連結具を介してボルトにより固定されている。その上に床材28が張られている。床部3の両側は，側方枠材29がボルトにより，端部に位置する床部材27aに固定されてなる。
【０００７】
【発明が解決しようとする課題】
図３に示されているように，水平な骨格部材21と，端部の床部材27aとは，側面同士が一面に位置するように連結されている。そのため，壁部の重心を通過する垂線は，床部材27aを通過しない。
【０００８】
図示のウイング式屋根をもつ荷台は，壁部，屋根の荷重が，壁部と床部との連結部に集中する構造となっている。
【０００９】
そのため，端部の床部材27aは，縦根太26に強固に連結されていても，種々の荷重は，端部の床部材27aと，側方枠材29との結合付近に集中し，図２に示されているように，ときに側方枠材29に亀裂を生じさせる。
【００１０】
そこで，本発明は，かかる課題を解決するためになされたものであり，箱型荷台を構成する壁部の荷重が，その荷台を構成する床部を構成する縦根太に作用するようにした壁部と床部との連結構造を提供することを目的とする。
【００１１】
本発明の他の目的は，床部の側方部材に亀裂の入ることのない上記連結構造を提供することである。
【００１２】
さらに，本発明の他の目的は，壁部の下端を構成する骨格部材と，床部を構成し，縦根太に垂直の連結される床部材とを一体にした上記連結構造を提供することである。
【００１３】
【課題を解決するための手段】
上記目的を達成する本発明の結合構造は，床部と，該床部の前後に連結される前壁部および後壁部とを有してなる箱型荷台において，壁部の下端を構成する水平な骨格部材と，床部との連結構造である。床部は，縦根太に垂直に連結される複数の床部材有し，壁部の骨格部材は，端部にある床部材と一体に連結される。ここで，壁部の重心を通過する垂線が，端部の床部材を通過する。
【００１４】
ここで，端部の床部材は，細長い上平面および該上平面の，長手方向にそった両側から下方に伸びる側平面からなることが望ましく，このとき，両側平面の下端は，縦根太に連結される。骨格部材は，細長い上面と，該上面の，長手方向にそった一方の縁から下方に伸びる側面と，上面の，長手方向にそった他方の縁から下方に伸びる垂直側面および該垂直側面の，長手方向にそって水平に伸びる水平底面と，からなることが望ましく，このとき，骨格部材の一方の縁から下方に伸びる側面の下端は，端部の床部材の上平面に結合し，水平底面の端部は，端部の床部材の側平面に結合する。
【００１５】
【実施例】
図４および図５は，それぞれ，本発明の結合構造をもつ，床部とこれに連結された壁部とからなる箱型荷台の，一部切り欠きされた部分拡大斜視図，およびこの箱型荷台の部分中央拡大横断面図である。
【００１６】
本発明は，箱型荷台を構成する壁部と床部との連結構造に関するものあり，他の点については，上記説明した先行技術の箱型荷台と変わらず，したがって，共通要素については同じ符号を付す。
【００１７】
図示の箱型荷台1の床部3は，従来のものと同様に，二本の平行な縦根太26を有し，これらに垂直な複数の床部材27が，連結具30（図５）を介して縦根太26にボルトにより固定され，その上に床材28が張られている。床部3の端部には床部材40が位置する。
【００１８】
この端部の床部材40は，細長い上平面41と，その上平面の，長手方向にそった両側から下方に伸びる側平面42および43とからなる。この実施例では，側平面42は縦根太26に連結具31を介してボルトにより固定されている。他の側平面43は直接縦根太26にボルトにより連結されている。
【００１９】
壁部4は，下端を構成する水平な骨格部材46と，枠材22，23，補助枠材24（および上枠材（図示せず））からなり，その上にパネル25を張ることで構成されている。骨格部材46は，図５によく示されているように，細長い上面47と，該上面の，長手方向にそった一方の縁から下方に伸びる側面48と，前記上面の，長手方向にそった他方の縁から下方に伸びる垂直側面49および該垂直側面の，長手方向にそって水平に伸びる水平底面50と，からなる。この側面48は，床部材40の上平面41に連結，固定され，水平底面50は，床部材40の側平面43に連結，固定されている。
【００２０】
ここで，骨格部材46と端部にある床部材40との連結構造は，壁部4の重心を通過する垂線（図では破線により示す）が端部にある床部材40を通過するように，側面48は上平面41に，水平底面50は側平面43に連結，固定されてなる。
【００２１】
図示の実施例では，骨格部材46の断面の四分の一が，床部材40と重なるよう，骨格部材と床部材とが連結しているが，その断面以上が床部材と重なるように結合してもよい。しかし，骨格部材を床部材の上に完全に載せるように結合させると，荷台内の容積が減ることになる。
【００２２】
【効果】
本発明の連結構造をとることにより，壁部の重量は，端部にある床部材全体にかかる。床部材は縦根太に硬直に連結されていることから，壁部の重量は縦根太に作用することになる。したがって，壁部と縦根太とは，剛直な結合が達成され，その結果箱型荷台の構造がより堅固なものとなる。
【００２３】
とくに，ウイング式屋根をもつ荷台は，屋根部，側壁部，床部が相互に連結される箱型荷台の異なり，床部と前後壁部との連結により構成され，そのため種々の荷重が，この部分に作用し，とりわけ，ウイング式屋根の開閉時に，壁部の下端を構成する枠材に不規則な負荷が作用するが，本発明の結合構造をとることにより，壁部からの負荷は縦根太に作用し，したがって，端部の床部材と，床部の側面を構成する側方枠との結合部に作用する負荷が著しく減少し，その結果この結合部にひび割れなどの発生を防止することができる。
【図面の簡単な説明】
【図１】図１は，ウイング式屋根をもつ箱型荷台の斜視図を示す。
【図２】図２は，図１の荷台の壁部と床部との結合構造を示す，荷台の切り欠きされた部分拡大斜視図を示す。
【図３】図３は，図１の荷台の壁部と床部との結合構造を示す，荷台の部分拡大縦断面図である。
【図４】図４は，本発明にしたがった連結構造をもつ，荷台の切り欠きされた部分拡大斜視図を示す。
【図５】図５は，本発明にしたがった連悦構造をもつ，荷台の部分拡大縦断面図である。
【符号の説明】
3    床部
4    壁部
26    縦根太
27    床部材
28    床材
30    連結具
31    連結具
40    端部の床部材
41    上平面
42    側平面
43    側平面
46    骨格部材
47    上面
48    側面
49    垂直側面
50    水平底面
【図１】
0003924143.tif 000002
【図２】
0003924143.tif 000003
【図３】
0003924143.tif 000004
【図４】
0003924143.tif 000005
【図５】
0003924143.tif 000006